(57)【要約】【課題】  誰が操作しても疲れず簡単に均一的な操作と成るようにする誘導棒。【解決手段】  誘導棒に使用されている円形硬質パイプを改善しホルダーと輪ゴム及び円錐体リングとを製作する、と共に誘導棒グリップ部の紐通し穴を折り返し点とし２本とした紐を、ホルダーの小穴、円錐体リング、輪ゴムの小穴、ストッパーの長穴側からの順に通してパイプ部側で平結びの一回のみを行いグリップエンドとホルダーとを強く引き離す事に依つて輪ゴムに依り紐の結び目直近を強力に継続圧迫させストッパーの構造との組み合わせに依り２本紐の長さを確定させる、と共に紐結びが平結び一回のみで済む事に依り２本紐の長さ設定をも簡単にして２本紐の柔軟性とホルダーの活用に依り誘導棒の保持と操作を簡単にした事を特徴とする誘導棒の部品構成と其の組み合わせ方法。【選択図】図１０
2007317146.tif 000002
【特許請求の範囲】
【請求項１】
紐直径の２．８倍の内径を有した細長空間を有する円形硬質パイプの片方のみを内側外側を共に球形とし閉じて外側を切断した形で内側球形の先端部肉厚を１．０ミリ弱とし、其の中央に紐２本を並列にした断面の縦横共に９０．０％前後大の長穴を貫通形成させたキャツプ状のストッパーを形成させ、また柔軟素材で中央に貫通の小穴を有した一定大のホルダー、及びゴム素材で中央に貫通の小穴を有した一定大の輪ゴムとを形成させて、誘導棒グリップエンド部の紐通し穴を折り返し点とし２本とした紐をホルダーの小穴、輪ゴムの小穴、ストッパーの長穴側からの順に通してストッパーのパイプ部側で平結びの一回のみを行いグリップエンドとホルダーとを強く引き離す。
グリップエンドとホルダーとを強く引き離す事に依って輪ゴムとストッパーの長穴とを強く密着させ２本紐の結び目直近を輪ゴムにより強力に継続圧迫しストッパーの細長空間で平結び一回の結び目特性を最大限に発生させて、結び目に対するストッパーの長穴形状とパイプ内壁及びナベ底形状とに依る摩擦抵抗を最大限に発揮させる、と共にストッパーのパイプ構造に依る結び目及び結び目近くの２本の紐の外部圧力からの遮断とに依り、結び目を固定し緩まなくして２本紐の長さを確定させ、グリップエンドとホルダーとの間隔を一定寸法に保つようにした事、及び紐結びが平結び一回のみで済む事に依って、グリップエンドとホルダーとの間隔の調整をも簡単に行えるようにした事を特徴とする誘導棒の付属部品の構成と其の組み合わせ方法。
【発明の詳細な説明】
【技術分野】
【０００１】  本発明は、交通誘導に使用する誘導棒の付属部品に関する。
【背景技術】
【０００２】  従来、交通誘導に使用されている誘導棒は紐通し穴をグリップ部と一体に形成し、またパイプの片方を閉じ其の中央に長穴を設けたキャツプ状の円形硬質パイプを形成して、
紐を誘導棒の紐通し穴に通し２本の紐とし、其の２本紐を円形硬質パイプの長穴側から通して紐端を２本一緒に揃え、ひと結びを行い結び目以下が見えないように円形硬質パイプ内に収納されて居る。【０００３】  上記紐の使用目的は誘導棒が操作時に手から抜け落ちる事の防止と保管時の為のものであり個人に依り様々な工夫が成されているのが現状である、また円形硬質パイプは紐の安定を図る重量物以外は装飾的な意味合いの強い物である。
【発明の開示】
【発明が解決しようとする課題】
【０００４】  上記のごとく、従来の物は使用中には誘導棒を常に握って居る事が必要条件と成って居る、其のため必要以上に精神的肉体的に疲労する事となり動作が硬くぎこちない等、誘導員による個人差が大変に大きく操作に現れてしまう、誰が操作してもドライバーに解り易く均一的な操作と成るようにするには構造的に無理が伴う物である。【０００５】  本発明は、このような点に鑑みて成され、その目的は誘導棒に使用されている円形硬質パイプを改善しホルダーと輪ゴムとを製作する、と共に従来使われて居る紐との組み合わせで紐の柔軟性を活用する事に依って、誘導棒の取り扱い及び操作を簡単にして誘導業務の精神的肉体的な負担を軽減する、と共に誰が操作してもリズムカルでスピード感があり均一的な誘導業務が出来る物に成るよう図った事にある。
【課題を解決するための手段】
【０００６】  上記の目的を達成する為に紐直径の２．８倍の内径を有した細長空間を有する円形硬質パイプの片方のみを内側外側を共に球形とし閉じて、外側を切断した形で内側球形の先端部肉厚を１．０ミリ弱とし、其の中央に紐２本を並列にした断面の縦横共に９０．０％前後大の長穴を貫通形成させたキヤップ状のストッパーを形成させる。
また柔軟素材で中央に貫通の小穴を有した厚さ３．０ミリ程度、直径（１５．０〜２０．０）ミリのホルダー、及び天然ゴム素材で中央に貫通の小穴を有した厚さ４．０ミリ程度、直径９．０ミリ前後大の輪ゴムを形成させる。【０００７】  次に通常の堅さの紐で、誘導棒グリップエンド部の紐通し穴を折り返し点とし２本とした紐を、ホルダーの小穴、輪ゴムの小穴、ストッパーの長穴側からの順に通してパイプ部側で平結びの一回のみを行い、グリップエンドとホルダーとを強く引き離し、輪ゴムとストッパーの長穴とを密着させ平結び一回の結び目特性を最大限に発生させて、ストッパーとに依って結び目を緩まなくすると言う技術的手段を講じている。
【発明の効果】
【０００８】  以上説明したように本発明では紐の柔軟性を活用する方法であり、まずグリップエンドとホルダーとの間の２本紐を利き手の小指と薬指との間に挟み薬指の腹に架ける事でホルダーとに依って誘導棒の保持が確実に可能と成る、従って誘導棒は常に握っている必要が無くなり操作時のみに握るだけで済み、緊張感が断続的な継続となり精神的肉体的な疲労が半減し本来の目的である歩行者、自転車、車両等の動向把握に専念ができる、と共に簡単に無理なく素早く回転操作が行える事に依って、進めの意思表示が早く明確にドライバーに伝わり、誰が誘導棒を操作してもリズムカルでスピード感の有る複雑な連続誘導業務を可能とし、特に瞬時対応が必要な店舗の車両出納及び交叉点での誘導業務にも最適な物となった。
【発明を実施するための最良の形態】
【０００９】  以下、本発明の実施の形態を図面に基づき詳細に説明する。【００１０】  図１〜図８は本発明の実施の形態に係り、図１はストッパーの外観斜視図、図２はその右側面図、図３はその中央部縦断面図、図４はホルダーの平面図、図５はその中央部縦断面図、図６は輪ゴムの平面図、図７はその中央部縦断面図、図８は各部品の組み立て見取り図。【００１１】  図１〜図３で示すように、紐直径の２．８倍の内径を有した細長空間をを有する円形硬質パイプの片方のみを内側外側を共に球形とし閉じて、外側を切断した形で内側球形の先端部肉厚を１．０ミリ弱とし、其の中央に紐２本を並列にした断面の縦横共に９０．０％の長穴（３）を貫通形成させたキヤップ状のストッパー（１）を形成させる。【００１２】  図４〜図５で示すように、柔軟素材で中央に直径１．０ミリの貫通小穴（７）を有した厚さ３．０ミリ、直径２０．０ミリの円形のホルダー（６）を形成する。【００１３】  図６〜図７で示すように、天然ゴム素材で中央に直径１．０ミリの貫通小穴（９）を有した厚さ４．０ミリ、直径９．０ミリの円形の輪ゴム（８）を形成する。【００１４】  図８で示すように、通常の硬さの紐で誘導棒グリップエンド（１１）部の紐通し穴（１２）を折り返し点とし２本とした紐（１０）を、ホルダー（６）の小穴（７）、輪ゴム（８）の小穴（９）、ストッパー（１）の長穴（３）側からの順に通してストッパー（１）のパイプ部（２）側で平結び（１３）の一回のみを行い、グリップエンド（１１）とホルダー（６）とを強く引き離す。【００１５】  此のグリップエンド（１１）とホルダー（６）とを強く引き離す事に依って、輪ゴム（８）とストッパー（１）の長穴（３）とが密着する事と成り、２本紐（１０′）の結び目（１３）直近は並列方向を長穴（３）に依り限定されて輪ゴム（８）に依り３６０度方向から強力に継続圧迫される事と成る。【００１６】  此の２本紐（１０′）の結び目（１３）直近を輪ゴム（８）により強力に圧迫する事に依って、ストッパー（１）の細長空間で平結び（１３）一回の結び目特性が最大限に発生し、結び目（１３）は長穴（３）の長い方向に紐（１０）一本分の太さの２．５倍弱と成り硬く膨らむ、また紐（１０）の遊び部分は２本紐（１０′）の並列に対して直角方向に紐（１０）一本分の太さの２．８倍強が根元を硬くして伸び、ストッパー（１）のパイプ内壁（５）によって押し曲げられパイプ内壁（５）に添って更に伸びる。【００１７】  従って結び目（１３）直近の２本紐（１０′）は長穴（３）の形状に依り並列方向を限定され乍ら結び目（１３）が長穴（３）全体を閉ぐ事と成る、と同時に結び目（１３）及び結び目直近の紐（１０）の遊び部分は直径を紐（１０）の太さの２．８倍を最大円とする細長空間を有するストッパー（１）のパイプ内壁（５）とナベ底形状（４）との摩擦抵抗に依って完全に自由を奪われる、と共に結び目（１３）及び結び目（１３）近くの紐（１０）の遊び部分が細長空間に収納されている事に依って、外部からの働きが遮断され不可動となり結び目（１３）が固定されて緩まず、ほどけ無く成って結び目（１３）の位置が確定されて２本紐（１０′）の長さが確定しグリップエンド（１１）とホルダー（６）との間隔を一定寸法に保つ事が出来る。【００１８】  またストッパーパイプ部（２）側の遊び部分の紐（１０）端２本を指先でしっかりと持ちストッパー（１）を強く引き離す事に依って、ホルダー（６）と輪ゴム（８）及びストッパー（１）とが結び目（１３）から大きく離れる事となり、結び目（１３）は輪ゴム（８）に依る直近の２本紐の圧迫とストッパー（１）のナベ底形状（４）及びパイプ内壁（５）から解放される、と共に紐結びが平結び（１３）の一回のみである事に依って結び目（１３）が簡単にほどける事と成る。
従って紐（１０）の結び直しによる結び目（１３）の位置変更に依り、誘導棒のグップエンド（１１）とホルダー（６）との間隔、及び紐（１０）の摩耗部位の位置変更は極めて簡単に調整が出来る事と成る。【００１９】  尚、輪ゴム（８）は結び目（１３）直近の２本紐（１０′）を継続的に強力圧迫する事を最大の目的とし、ホルダー（６）の小穴（７）の摩耗拡大をも防止する、と共にホルダー（６）とに依ってクッション効果を発揮させる為に天然ゴム素材で厚さ及び直径を一定の大きさに形成する、またホルダー（６）は誘導棒が自重により確実に保持出来るよう厚さ及び直径を一定の大きさとし、輪ゴム（８）とに依ってクッション効果を発揮させる為に柔軟素材で形成する。
【実施例】
【００２０】  誘導棒のグリップエンドの２分の１弱が親指と人差し指及び中指に常に触れている状態と成るよう紐の結び目を調整して置き、グリップエンドとホルダーとの間の２本紐を利き手小指第二関節と薬指との間に挟み薬指の腹に架ける、誘導棒は自重により只ぶら下げて居るだけでホルダーとに依り確実に保持が出来る事となる。【００２１】  持ち手（以下各項共に右手として記述）で誘導棒を握る操作の時には、持ち手の手首を急に上に上げる事に依って、誘導棒は２本紐とホルダーとにより２指間を支点とした遠心力で垂直状態に振り上げる事が出来る、此の誘導棒のグリップを持ち手で軽く握る事で確実に次の目的行動に連動が図れる。【００２２】  誘導棒を他の手に持ち替える操作の時には、持ち手の手首を急に他の手側に振る事に依って、誘導棒を遠心力で水平状態にさせる、此の状態の誘導棒を他の手で受け止める事で確実に誘導棒の持ち替えが出来る。
従って、利き手で通行車両を止め、誘導棒を他の手に持ち替えて車両停止を継続しつつ、利き手で他の車両、自転車、歩行者の誘導を行う、等の操作が極めて簡単にリズムカルに行う事が出来る。【００２３】  誘導棒の右回転操作の時には、持ち手の手首を少し右側に上げて人差し指、中指を添えて手首を急に左下に引き下げる事に依って誘導棒の右回転始動が図れ、親指と人差し指及び中指で作る簡単な輪の中で回転させ、後は持ち手の手首を小さく右回転させる事で遠心力により継続が図れる。
また誘導棒の回転を止める時には、持ち手の親指と人差し指の根元に回転する誘導棒を当てる事によって止まる。【００２４】  誘導棒の左回転操作の時には、持ち手の手首を少し左側に上げて親指を添えて手首を急に右下に引き下げる事に依って誘導棒の左回転始動が図れ、親指と人差し指及び中指で作る簡単な輪の中で回転させ、後は持ち手の手首を小さく左回転させる事で遠心力により継続が図れる。
また誘導棒の回転を止め時には、持ち手の親指を硬く伸ばし回転する誘導棒を当てる事によって止まる。【００２５】  以上、本発明はホルダーの保持力と紐の柔軟性及び遠心力を活用する方法である為に、上記した操作の各項目は組み合わせが自由自在でリズムカルに連続的に行える事、また回転操作の範囲は自分の真正面を基点として左右９０度の対角線に対して９０度の対角までが可能である事、と意思表示が０．５回転〜２．０回転て確実にドライバーに伝わり、其の操作をも任意である事を特徴とする。
【産業上の利用可能性】
【００２６】  本発明は警備業用品を製造、販売する産業分野で利用する事ができる。
【図面の簡単な説明】
【００２７】
【図１】  本発明の実施の形態に係るストッパーの外観斜視図である。
【図２】  図１のストッパーの右側面図である。
【図３】  図２のストッパーのＡ〜Ａ線断面図である。
【図４】  本発明の実施の形態に係るホルダーの平面図である。
【図５】  図４のホルダーのＢ〜Ｂ線断面図である。
【図６】  本発明の実施の形態に係る輪ゴムの平面図である。
【図７】  図６の輪ゴムのＣ〜Ｃ線断面図である。
【図８】  本発明の実施の形態に係る部品組み立て見取り図である。
【符号の説明】
【００２８】  １    ストッパー          ２    パイプ部            ３    長穴
４    ナベ底形状          ５    パイプ内壁          ６    ホルダー
７    小穴                ８    輪ゴム              ９    小穴
１０    紐                １０′  ２本紐            １１    グリップエンド
１２    紐通し穴          １３    平結び（結び目）
【図１】
2007317146.tif 000003
【図２】
2007317146.tif 000004
【図３】
2007317146.tif 000005
【図４】
2007317146.tif 000006
【図５】
2007317146.tif 000007
【図６】
2007317146.tif 000008
【図７】
2007317146.tif 000009
【図８】
2007317146.tif 000010
【手続補正書】
【提出日】平成19年5月18日(2007.5.18)
【手続補正１】
【補正対象書類名】特許請求の範囲
【補正対象項目名】全文
【補正方法】変更
【補正の内容】
【特許請求の範囲】
【請求項１】
紐直径の２．８倍の内径を有した細長空間を有する円形硬質パイプの片方のみを内側外側を共に球形とし閉じて外側を切断し輪ゴムを収納する円形のホールを設けた形で内側球形の先端部肉厚を１．０ミリ弱とし、其の中央に紐２本を並列にした断面の縦横共に８５．０％前後大の長穴を貫通形成させると共に其の長い辺の延長線上でパイプ部の一部を紐の太さに細長く切り取ったキャツプ状のストッパーを形成させ、また合成ゴム素材で中央に貫通の小穴を有したホルダー、と準硬質樹脂の円錐体リンク及び飴ゴム素材で中央に貫通の小穴を有した輪ゴムとを形成させて、誘導棒グリップエンド部の紐通し穴を折り返し点とし２本とした紐をホルダーの小穴、円錐体リンクの外径端末部側から、輪ゴムの小穴、ストッパーの長穴側からの順に通しストッパーのパイプ部側で平結びの一回のみを行いグリップエンドとホルダーとを強く引き離す、此のグリップエンドとホルダーとを強く引き離す事に依ってストッパーの長穴を挟み輪ゴムで２本紐の結び目直近を強力に圧迫し続け、輪ゴムの圧着力に依りストッパーの細長空間で平結び一回の結び目特性を最大限に発生させ、輪ゴムに対する円錐体の押し圧力とストッパーの長穴とパイプ内壁及びナベ底形状とに依る摩擦抵抗を最大限に発揮させる、と共にストッパーのパイプ構造に依る結び目及び結び目以後の２本の紐の外部圧力からの遮断とに依り、結び目を固定し緩まなくして２本紐の長さを確定させ、グリップエンドとホルダーとの間隔を一定寸法に保つようにして２本紐とホルダーとの活用を図り誘導棒の保持と操作を簡単にした事、及び紐結びが平結び一回のみで済む事に依ってグリップエンドとホルダーとの間隔の調整をも簡単に行えるようにした事を特徴とする誘導棒の付属部品の構成と其の組み合わせ方法。
【請求項２】
誘導棒の回転操作に伴う２本紐の摩耗及びヨジレに於いて、紐の保持を目的とする紐通し穴の端末部を折り返し点として２本紐とした紐の端末部との接触部は、誘導棒の太さと端末部の厚さ及び其の巾を基準とし、端末部に直接接触する部分の一辺を端末部の厚さの２．０倍以上の寸法とすると共に誘導棒の太さの３０．０％以上の寸法とし、他の両辺の長さは端末部の厚さと巾の一辺を加算した寸法を越える寸法としＵ字曲げ加工とを施して其の形状が柔軟性を伴い５０．０％維持出来る硬度の軟質チユーブに紐を通して２本紐として形成、又は同質部材での部分皮膜加工とＵ字曲げ加工とを施し２本紐として形成する事に依って、誘導棒の回転操作時に発生する２本紐の摩耗及びヨジレを共に極少に押えた事を特徴とする誘導棒操作の為の紐。
【手続補正２】
【補正対象書類名】明細書
【補正対象項目名】全文
【補正方法】変更
【補正の内容】
【発明の詳細な説明】
【技術分野】
【０００１】  本発明は、交通誘導に使用する誘導棒の付属部品に関する。
【背景技術】
【０００２】  従来、交通誘導に使用されている誘導棒は紐通し穴をグリップ部と一体に形成し、またパイプの片方を閉じ其の中央に長穴を設けたキャツプ状の円形硬質パイプを形成して、
紐を誘導棒の紐通し穴に通し２本の紐とし、其の２本紐を円形硬質パイプの長穴側から通して紐２本を一緒にひと結びを行い結び目を円形硬質パイプ内に収納して居る。
上記紐の使用目的は誘導棒が操作時に手から抜け落ちる事の防止と保管時の為のものであり個人に依り様々な工夫が成されているのが現状である、また円形硬質パイプは装飾的な意味合いの強い物である。
【発明の開示】
【発明が解決しようとする課題】
【０００３】  上記のごとく、従来の物は使用時には常に誘導棒を握って居る事が必要があり、其のため必要以上に精神的肉体的に疲労する事と成って動作が硬くぎこちなく誘導員による個人差が大変に大きく操作に現れてしまう、誰が操作してもドライバーに解り易く均一的な操作と成るようにするには構造的に無理が伴う物である。【０００４】  本発明は、このような点に鑑みて成され、誘導棒の取り扱い及び操作を簡単にして誘導業務の精神的肉体的な負担を軽減する、と共に誰が操作してもリズムカルでスピード感があり均一的な誘導業務が出来る物に成るよう図った事にある。
【課題を解決するための手段】
【０００５】  上記の目的を達成するために、既存する誘導棒の円形の硬質パイプを改良し輪ゴムと円錐体リング及びホルダーを製作し組み合わせると共に既存の紐を積極的に活用する事に依って、誘導棒の回転操作を極めて簡単に行えるようにすると共に２本紐の長さ設定及び長さの調整も簡単に行えるようにし、また回転操作時に発生する２本紐の摩耗とヨジレをも紐の部分的な補強に依り防止する、と言う技術的手段を講じている。
【発明の効果】
【０００６】  以上説明したように本発明では紐の柔軟性を活用する方法であり、まずグリップエンドとホルダーとの間の２本紐を利き手の小指と薬指との間に挟み薬指の腹に架ける事でホルダーとに依って誘導棒の保持が確実に可能と成る、従って誘導棒は操作時のみに握るだけで済み、緊張感が断続的な継続となり精神的肉体的な疲労が半減し本来の目的である歩行者、自転車、車両等の動向把握に専念ができる、と共に簡単に無理なく素早く回転操作が行える事で意思表示が早く明確にドライバーに伝わり、誰が誘導棒を操作してもリズムカルでスピード感の有る複雑な連続誘導を可能とし、特に瞬時対応が必要な店舗に於ける車両出納の誘導業務及び交叉点での誘導業務、並びに一人片側交互通行の誘導業務にも最適な物となった。
【発明を実施するための最良の形態】
【０００７】  以下、本発明の実施の形態を図面に基づき詳細に説明する。【０００８】  図１〜図８は本発明の実施の形態に係り、図１はストッパーの外観斜視図、図２はその右側面図、図３はその中央部縦断面図、図４はホルダーの平面図、図５はその中央部縦断面図、図６は輪ゴムの平面図、図７はその中央部縦断面図、図８は円錐体リングの平面図、図９はその中央部縦断面図、図１０は各部品の組み立て見取り図。【０００９】  図１〜図３で示すように、紐直径の２．８倍の内径を有した細長空間をを有する円形硬質パイプの片方のみを内側外側を共に球形とし閉じて、外側を切断し輪ゴム（１１）を収納する深さ５．０ミリ、直径１１．０ミリの円形ホール（８）を設け内側球形の先端部肉厚を１．０ミリとし、其の中央に紐２本を並列にした断面の縦横共に８５．０％の長穴（３）を貫通形成させると共に紐（１５）結び操作時に結び目（１６）を長穴（３）に近づけた状態にする為に長穴（３）の長い辺の延長線上でパイプ部（２）の一部を紐（１５）の太さに細長く切り取ったホール（６）とホール（７）とを設けたキヤップ状のストッパー（１）を形成させる。【００１０】  図４〜図５で示すように、合成ゴム素材で中央に長さ４．０ミリ、幅２．０ミリの貫通小穴（１０）、又は直径３．０ミリの貫通小穴を有した厚さ３．０ミリ、直径２５．０ミリ程度の円形のホルダー（９）を形成する。【００１１】  図６〜図７で示すように、天然飴ゴム素材で中央に長さ４．０ミリ、幅２．０ミリの貫通小穴（１２）、又は直径３．０ミリの貫通小穴を有すると共に厚さを４．０ミリ、直径を１０．０ミリとした円形の輪ゴム（１１）を形成する。【００１２】  図８〜図９で示すように、中心部の厚さ（設計値）を４．０ミリとし外径を１０．０ミリとする、と共に外径端末部の厚さを２．０ミリとした円錐体の中央に２本紐の断面に対応した長さ７５．０％、幅８５．０％の長穴（１４）を貫通させた準硬質樹脂の円錐体リング（１３）を形成する。【００１３】  図１０で示すように、通常の硬さ（組み、編み）の紐（１５）で誘導棒グリップエンド（１７）部の紐通し穴（１８）を折り返し点とし２本とした紐（１５）を、ホルダー（９）の小穴（１０）、円錐体リングの外径端末部側から、輪ゴム（１１）の小穴（１２）、ストッパー（１）の長穴（３）側からの順に通して輪ゴム（１１）を所定の位置に定めストッパー（１）のホール（６）とホール（７）の溝に添って平結び（１６）の一回のみを行う、と共に２本の紐（１５）を揃え持ち結び目（１６）端末部以後の部分を長穴（３）の長方形に対して対角線上に位置させてグリップエンド（１７）とホルダー（９）とを強く引き離す。【００１４】  此のグリップエンド（１７）とホルダー（９）とを強く引き離す事に依って、円錐体リング（１３）の押し圧力に依り輪ゴム（１１）とストッパー（１）の長穴（３）とが密着する事と成り２本紐（１５′）の結び目（１６）直近は並列方向を長穴（３）に依り限定され輪ゴム（１１）に依り３６０度方向から強力に継続圧迫される事と成る、此の２本紐（１５′）の結び目（１６）直近を輪ゴム（１１）により強力に圧迫する事に依って輪ゴム（１１）自体が２本紐（１５′）に圧着し不可動状態��成る、と同時にストッパー（１）の細長空間で平結び（１６）一回の結び目特性が最大限に発生し結び目（１６）は長穴（３）の長い方向に紐（１５）一本分の太さの２．０倍（２本の紐×１．０）弱と成り硬く膨らみ輪ゴム（１１）による押し圧力を受け続ける、また結び目（１６）端末部は２本紐（１５′）の並列に対して対角方向に紐（１５）一本分の太さの２．８倍強が根元を硬くし伸びる、と共に以後の遊び部分の紐（１５）はストッパー（１）のパイプ内壁（５）によって押し曲げられパイプ内壁（５）に添って更に伸びる。【００１５】  従って結び目（１６）直近の２本紐（１５′）は長穴（３）の形状に依り並列方向を限定され結び目（１６）が長穴（３）全体を閉ぐ事と成る、と同時に結び目（１６）及び結び目（１６）端末部の紐（１５）は直径を紐（１５）の太さの２．８倍を最大円とする細長空間を有するストッパー（１）のパイプ内壁（５）とナベ底形状（４）との摩擦抵抗に依って完全に自由を奪われる、と共に結び目（１６）及び結び目（１６）端末部以後の遊び部分の紐（１５）が細長空間に収納されている事に依って、外部からの働きが遮断され不可動となり結び目（１６）が固定されて緩まず、ほどけ無く成って結び目（１６）の位置が確定され２本紐（１５′）の長さが確定してグリップエンド（１７）とホルダー（９）との間隔を一定寸法に保つ事が出来る。【００１６】  またストッパー（１）のパイプ部（２）側に有る遊び部分の紐（１５）の端末部２本をしっかりと指先で持ちストッパー（１）とを強く引き離す事に依って、ホルダー（９）、輪ゴム（１１）、ストッパー（１）とが結び目（１６）から大きく離れる事となり、結び目（１６）及び結び目（１６）直近の２本紐（１５′）は輪ゴム（１１）に依る強力な圧迫とストッパー（１）のナベ底形状（４）及びパイプ内壁（５）から解放される、と共に紐結びが平結び（１６）の一回のみである事に依って結び目（１６）が簡単にほどける事と成る、従って紐（１５）の結び直しによる結び目（１６）の位置変更により誘導棒のグップエンド（１７）とホルダー（９）との間隔および紐（１５）の摩耗部位の位置変更は極めて簡単に調整が出来る事と成る。【００１７】  また誘導棒の回転操作に伴う２本紐（１５′）の摩耗及びヨジレに於いて、紐（１５）の保持を目的とする紐通し穴（１８）の端末部を折り返し点とし２本紐（１５′）とした紐（１５）の端末部との接触部は、誘導棒の太さと端末部の厚さ（紐が直接に接する部分）及び其の巾を基準として端末部に直接接触する部分の一辺を端末部の厚さの２．０倍以上の寸法とすると共に誘導棒の太さの３０．０％以上の寸法とし、他の両辺の長さは端末部の厚さと巾の一辺を加算した寸法を越える寸法としＵ字曲げ加工を施して其の形状が柔軟性を伴い５０．０％維持出来る硬度の軟質チューブに紐（１５）を通した２本紐（１５′）として形成、又は同質部材での部分被膜加工とＵ字曲げ加工とを施した２本紐（１５′）として形成させる事に依って、誘導棒の回転操作時に発生する端末部と２本紐（１５′）との摩擦を少なくする、と共に誘導操作時に於ける薬指腹部を支点とした２本紐（１５′）の遠心力に依る張力とで端末部の横回転圧力を吸収して２本紐（１５′）の摩耗およびヨジレを共に極少に押える事が出来る。
尚、輪ゴム（１１）は結び目（１６）直近の２本紐（１５′）を継続的に強力圧迫する事を最大の目的とし、ホルダー（９）の小穴（１０）の摩耗拡大をも防止する、と共にホルダー（９）とに依ってクッション効果を発揮させる為に天然飴ゴム素材で形成する、また円錐体リング（１３）は錐形部を輪ゴム（１１）側としてホルダー（９）と輪ゴム（１１）との間に組み込む事に依ってホルダー（９）側からの力で確実に輪ゴム（１１）の移動を図りストッパー（１）の長穴（３）を挟んで結び目（１６）との密着を確実とする為に準硬質樹脂で形成する。
【実施例】
【００１８】  誘導棒のグリップエンド部の２分の１弱が親指と人差し指先及び中指に常に触れている状態と成るよう紐の結び目を調整して置き、グリップエンドとホルダーとの間の２本紐を利き手小指第二関節と薬指との間に挟み薬指の腹に架ける、誘導棒は自重により只ぶら下げて居るだけでホルダーとに依り確実に保持が出来る事となる。【００１９】  持ち手（以下各項共に右手として記述）で誘導棒を握る操作の時には、持ち手の手首を急に上に上げる事に依って、誘導棒は２本紐とホルダーとにより２指間を支点とした遠心力で垂直状態に振り上げる事が出来る、此の誘導棒のグリップを持ち手で軽く握る事で確実に次の目的行動に連動が図れる。【００２０】  誘導棒を他の手に持ち替える操作の時には、持ち手の手首を急に他の手側に振る事に依って誘導棒を遠心力で水平状態にさせる、此の状態の誘導棒を他の手で受け止める事で確実に誘導棒の持ち替えが出来る。
従って、利き手で通行車両を止め、誘導棒を他の手に持ち替えて車両停止を継続しつつ、利き手で他の自転車、歩行者等の誘導を簡単にリズムカルに行う事が出来る。【００２１】  誘導棒の右回転操作の時には、持ち手の手首を少し右側に上げて人差し指、中指を添えて手首を急に左下に引き下げる事に依って誘導棒の右回転始動が図れ、親指と人差し指及び中指で作る簡単な輪の中で回転させ、後は持ち手の手首を小さく右回転させる事で遠心力により継続が図れる、また誘導棒の回転を止める時には、持ち手の親指と人差し指の根元に回転する誘導棒を当てる事によって止まる。【００２２】  誘導棒の左回転操作の時には、持ち手の手首を少し左側に上げて親指を添えて手首を急に右下に引き下げる事に依って誘導棒の左回転始動が図れ、親指と人差し指及び中指で作る簡単な輪の中で回転させ、後は持ち手の手首を小さく左回転させる事で遠心力により継続が図れる、また誘導棒の回転を止め時には、持ち手の親指を軽く伸ばし回転する誘導棒を当てる事によって止まる。【００２３】  以上、本発明はホルダーの保持力と紐の柔軟性及び遠心力を活用する方法である為に、上記した操作の各項目は組み合わせが自由自在でリズムカルに連続的に行える事、また回転操作の範囲は自分の真正面を基点として左右９０度の直角線に対して９０度前後の対角線上までが可能である事、と意思表示が０．５回転〜２．０回転で確実にドライバーに伝わり、其の操作をも任意である事を特徴とする。
【産業上の利用可能性】
【００２４】  本発明は警備業用品を製造、販売する産業分野で利用する事ができる。
【図面の簡単な説明】
【００２５】
【図１】  本発明の実施の形態に係るストッパーの外観斜視図である。
【図２】  図１のストッパーの右側面図である。
【図３】  図２のストッパーのＡ〜Ａ線断面図である。
【図４】  本発明の実施の形態に係るホルダーの平面図である。
【図５】  図４のホルダーのＢ〜Ｂ線断面図である。
【図６】  本発明の実施の形態に係る輪ゴムの平面図である。
【図７】  図６の輪ゴムのＣ〜Ｃ線断面図である。
【図８】  本発明の実施の形態に係る円錐体リングの平面図である。
【図９】  図８の円錐体リングのＤ〜Ｄ線断面図である。
【図１０】  本発明の実施の形態に係る部品の組み立て見取り図である。
【符号の説明】
【００２６】  １    ストッパー            ２    パイプ部              ３    長穴
４    ナベ底形状            ５    パイプ内壁            ６    ホール
７    ホール                ８    ホール                ９    ホルダー
１０    小穴                １１    輪ゴム              １２    小穴
１３    円錐体リング        １４    長穴                １５    紐
１５′  ２本紐              １６    結び目（平結び）    １７    グリップエンド
１８    紐通し穴
【手続補正３】
【補正対象書類名】図面
【補正対象項目名】全図
【補正方法】変更
【補正の内容】
【図１】
2007317146.tif 000011
【図２】
2007317146.tif 000012
【図３】
2007317146.tif 000013
【図４】
2007317146.tif 000014
【図５】
2007317146.tif 000015
【図６】
2007317146.tif 000016
【図７】
2007317146.tif 000017
【図８】
2007317146.tif 000018
【図９】
2007317146.tif 000019
【図１０】
2007317146.tif 000020